(57)【要約】【課題】  ミシンの操作性は維持しつつも、作業者がミシン本体に体を近づけることなく針落ち付近を容易に視認することができる、送り出し腕型ミシンを提供する。【解決手段】  シリンダー３とアーム４を接続するベッドを第１ベッド２，第１連結部６，第２ベッド７，第２連結部８で構成し、シリンダー３が接続される第１ベッド２の上部右側面に第１連結部６の基部が接続され、該基部から上方に延伸する第１連結部６の上部先端に第２ベッド７の基部が接続され、該第２ベッド７の基部から右方に延伸する第２ベッド７の後面と水平延出されるアーム４の基部が第２連結部８で連結される構造とし、アーム４に上軸１８、第２ベッド７に中間軸１９、第１ベッド２から第１連結部６にかけて下軸２０が夫々配置され、下軸２０の右側と中間軸１９の左側をが１ベルト２１で、中間軸１９右側と上軸１８の右側が第２ベルト２２で夫々担架される構成とした。【選択図】図１
2015188669.tif 000002
【特許請求の範囲】
【請求項１】
ベッドに基端が接続され布送り方向に延出するシリンダーと、ベッドに基部が連結されシリンダーと交差する方向に水平延出するアームと、アーム先端に連設されシリンダー先端の上方に配置される頭部を備える送り出し腕型ミシンにおいて、前記ベッドは第１ベッド、第１連結部、第２ベッド、第２連結部で構成され、前記シリンダーが接続される第１ベッドと、前記第１ベッドの上部右側面に基部が接続されるとともに上方に延伸する第１連結部と、前記第１連結部の上部先端に基部が接続されるとともに右方へ延伸する第２ベッドと、前記第２ベッドの後面に接続されるとともに前記アームの基部に連結される第２連結部と、前記アーム内に該アームの延伸方向に沿って配置されるとともに軸回りの回動可能に支持される上軸と、前記第２ベッド内に該第２ベッドの延伸方向に沿って配置されるとともに軸回りの回動可能に支持される中間軸と、前記第１ベッド上部から前記第１連結部にわたり布送り方向と直交して配置されるとともに軸回りの回動可能に支持される下軸と、前記下軸の右側と前記中間軸の左側に担架される第１ベルトと、前記上軸と前記中間軸の夫々右側に担架される第２ベルトを備えることを特徴とする、送り出し腕型ミシン。
【請求項２】
前記第１連結部は上方に行くにつれ後方に傾斜していることを特徴とする、請求項１に記載の送り出し腕型ミシン。
【請求項３】
前記上軸の右端にミシン駆動原が接続され、前記中間軸の右端にハンドホイールが取着されることを特徴とする、請求項１または２に記載の送り出し腕型ミシン。
【発明の詳細な説明】
【技術分野】
【０００１】
本発明は、送り出し腕型ミシンに関するもので、詳しくは、シリンダーの延出方向に生地を送る送り出し腕型ミシンのフレーム構造および駆動機構に関する。
本発明において、前後とは布送り方向における前後方向をいい、左右とはミシンを正面から見たときの左右方向をいう。また上下とはミシンの上下方向をいう。
【背景技術】
【０００２】
この種の送り出し腕型ミシンとして、シリンダーとアームとが互いに交差する方向にベッドから延出したものが従来より知られている（例えば、特許文献１参照。）。図４乃至図６は特許文献１に開示されるような従来の送り出し腕型ミシンにおけるミシン本体１１の外観を示したもので、図４は同ミシンの左側面図、図５は同ミシンの平面図、図６は同ミシンの正面図である。
図４に示すように、シリンダー１３はベッド１２から布送り方向Ｆに延出している。アーム１４は基部がベッド１２に立脚するとともにシリンダー１３と交差する方向に水平延伸している。アーム１４の先端部は図５に示すようにシリンダ１３ーの先端側に向かって屈折し、該アーム１４の先端には頭部１５が連設されている。頭部１５はシリンダー１３先端上面に設けられた針板１６上方に配置されている。
頭部１５の下面から図示しない針棒，押さえ棒が突出しており、針棒には複数の針が、押さえ棒には押さえ金１７がそれぞれ固定されている。押さえ金１７には図示しない上下メス，上飾りスプレッダなどが備えられている。また、シリンダー１３内には図示しない送り歯，ルーパが備えられている。
【０００３】
図５に示すように、アーム１４内にはアーム１４の延伸方向に沿って主軸１０（上軸）が配置されている。主軸１０の頭部１５に近い一端はアーム１４外に突出しており、該主軸１０の一端にはハンドプーリ２９（ハンドホイール）が取着されている。ハンドプーリ２９は図示しないモータベルトが担架されて図示しないミシンの駆動源の動力を主軸１０に伝えるとともに、ミシン停止時には作業者の手で操作されて主軸１０を回動させる。
主軸１０の頭部１５側には図示しない針棒駆動機構，メス駆動機構，上飾り駆動機構などが連結されており、主軸１０の回動によって前記針，メス，上飾りスプレッダなどが駆動する。また、主軸１０のアーム１４基部側には図示しない複数の偏心ロッドが連結されており、該偏心ロッドはベッド１２に配置される図示しない送り歯駆動機構やルーパ駆動機構に接続されている。そして主軸１０の回動によって送り歯やルーパが駆動する。
【０００４】
上述のように構成された従来の送り出し腕型ミシンにおいて、シリンダー１３上面に積載された生地は該シリンダー１３の先端側すなわち布送り方向Ｆに送られ、上記針，ルーパ等々の各部材が協働して縫製が行われる。特許文献１に開示される送り出し腕型ミシンは、主に２枚の生地または筒状にした生地の左右一対の生地端を突き合せつつ一部を重ね合わせ、その重ね合わせ部分に、二重環縫い目あるいは偏平縫い目を形成するのに用いられる。
【先行技術文献】
【特許文献】
【０００５】
【特許文献１】特公昭３０−５８３５号公報（第１−２図）
【発明の概要】
【発明が解決しようとする課題】
【０００６】
上述した従来の送り出し腕型ミシンを用いて縫製を行う場合、縫製を行う作業者はミシンの正面、すなわちベッド１２の布送り方向Ｆでいう手前に位置し、上記左右一対の生地端を左右の手に夫々持ち、該生地端を夫々ベッド１２の左右側方からシリンダー１３上面に差し入れ、針板１６の図示しない針落ちに向けて生地を送り込む。縫製中、作業者は正常な縫製を行うため常に針落ち付近を注視する必要があり、この種の従来ミシンの場合はベッド１２に立脚するアーム１４の基部上方から針落ち付近を視認することになる。
【０００７】
ところが、従来の送り出し腕型ミシンにおいては、針落ちがシリンダー１３先端の針板１６上と作業者から離れた位置にあり、作業者はアーム１４の基部上面越しに針落ちを視認しなければならない。したがって、作業者は針落ちを注視するためにアーム１４の基部上面越しに針落ちに向かって顔を近づけがちになり、そうすると作業者の体、特に胸がアーム１４の基部の前面に当たることになる。そして、ミシン駆動に伴い発生する熱や振動が作業者の体に伝わり、作業者の身体に悪影響を及ぼす恐れがあった。
また、上述の複数の偏心ロッドはアーム１４の基部からベッド１２にわたって配置され、非常に長尺で重量のかさむものとなっていた。したがって、ミシン駆動時に前記複数の偏心ロッドに大きな負荷がかかり、このことがミシン駆動の高速化を阻害する一因となっていた。
【０００８】
本発明は、上記問題を解決するためになされたものであり、その目的は、作業者が生地を操作する操作性は維持しつつも、針落ちの視認性を向上させ、もってミシン本体が作業者の体に当たり難い、送り出し腕型ミシンのフレーム構造と駆動機構を提供することにある。
【課題を解決するための手段】
【０００９】
上記目的を達成するために、請求項１に記載の発明は、ベッドに基端が接続され布送り方向に延出するシリンダーと、ベッドに基部が連結されシリンダーと交差する方向に水平延出するアームと、アーム先端に連設されシリンダー先端の上方に配置される頭部を備える送り出し腕型ミシンにおいて、前記ベッドは第１ベッド、第１連結部、第２ベッド、第２連結部で構成され、前記シリンダーが接続される第１ベッドと、前記第１ベッドの上部右側面に基部が接続されるとともに上方に延伸する第１連結部と、前記第１連結部の上部先端に基部が接続されるとともに右方へ延伸する第２ベッドと、前記第２ベッドの後面に接続されるとともに前記アームの基部に連結される第２連結部と、前記アーム内に該アームの延伸方向に沿って配置されるとともに軸回りの回動可能に支持される上軸と、前記第２ベッド内に該第２ベッドの延伸方向に沿って配置されるとともに軸回りの回動可能に支持される中間軸と、前記第１ベッド上部から前記第１連結部にわたり布送り方向と直交して配置されるとともに軸回りの回動可能に支持される下軸と、前記下軸の右側と前記中間軸の左側に担架される第１ベルトと、前記上軸と前記中間軸の夫々右側に担架される第２ベルトを備えることを特徴とする。
【００１０】
請求項２の発明は、請求項１の送り出し腕型ミシンにおいて、前記第１連結部は上方に行くにつれ後方に傾斜していることを特徴とする。
請求項３の発明は、請求項１または２の送り出し腕型ミシンにおいて、前記上軸の右端にミシンの駆動源が接続され、前記中間軸の右端にハンドホイールが取着されることを特徴とする。
【発明の効果】
【００１１】
請求項１の発明によれば、ベッド上にアームが立脚していないので、針落ちに対する作業者の視認性が向上し、もって作業者の体がアームないしベッドに当たり難い。また、第１ベッド右方の懐は十分に確保されているので、作業者の右手をシリンダー上面に差し入れるのに支障はなく、もって作業者が生地を操作する作業性を損ねることはない。さらに、第２ベッドやアームの内部や表面に広いスペースが確保され、もって縫製に必要な各機構を配置できる。
また、以上のように作業者の操作性を維持しつつも視認性を向上させたミシン本体の形状にあって、第１ベッドに配置される送り歯，ルーパなどの各駆動機構は同じく第１ベッドに配置される下軸に連結されて駆動される。そして、前記各駆動機構と下軸とを連結する偏心ロッドなどの連結部材は従来例に比して短尺，軽量化され、もって該連結部材の負荷を軽減することができる。
【００１２】
請求項２の発明によれば、、第１連結部の作業者に対する圧迫感が減じられ、また作業者が針落ちに向けて顔を近づけ易くなる。
請求項３の発明によれば、作業者にとって安全かつ操作し易い位置にハンドホイールが配置されることになる。
【図面の簡単な説明】
【００１３】
【図１】本発明の送り出し腕型ミシンのミシン本体を示す概略斜視図。
【図２】同上ミシンのミシン本体を示す概略左側面図。
【図３】同上ミシンのミシン本体を正面やや上方から見た概略図。
【図４】従来の送り出し腕型ミシンのミシン本体を示す左側面図。
【図５】同上ミシンのミシン本体を示す一部破断平面図。
【図６】同上ミシンのミシン本体を示す正面図。
【発明を実施するための最良の形態】
【００１４】
以下、図面を参照して、本発明の実施形態のミシン本体１について説明する。なお、ミシン本体１の外殻を形成する部位については、２点鎖線にて示してある。第１ベッド２の後面下部にはシリンダー３の基端が接続され、シリンダー３の先端は送り方向Ｆに水平に延出している。シリンダー３先端部上面に針板９が備えられており、針板９には針落ち９ａが設けられている。図２に示すように、第１ベッド２は左側方から見て５角形を呈しており、前面２ｂの上側は上に行くにつれて送り方向Ｆつまり後方に向かって傾斜している。また、第１ベッド２の上面２ａは送り方向Ｆに向かって下方つまり後ろ下がりに傾斜している。
【００１５】
図１，図３に示すように、第１ベッド２の上部右側面には第１連結部６の基部が接続されており、第１連結部６は該基部より後方に傾斜しつつ上方へ延伸している。第１連結部６の前記基部の下面はシリンダー３の上面よりも高く位置づけられている。第１連結部６の上部先端には第２ベッド７の基部が接続されており、第２ベッド７は該基部より右方へ水平に延伸している。第２ベッド７の延伸方向は、布送り方向Ｆと直交している。
【００１６】
第２ベッド７の右側後面には第２連結部８の一端が接続されており、第２連結部８の他端はアーム４の基部前面に接続されている。アーム４はその基部から左方つまりシリンダー側に向かって延伸し、その左端には頭部５が接続されている。頭部５はシリンダー３上面に設けられた針板９の上方に位置づけられている。頭部５やシリンダー３の内部には縫い目を形成するための各機構が設けられており、また頭部５の下方には図示しない複数の針や押さえ金が配置されているが、これらは従来既知のものであり、説明を省略する。また、アーム４の前面や第２ベッド７の後面には、針糸や飾り糸の繰り出しを制御する天秤，カムなどの糸繰り部材、およびこれらの糸を流れを案内する糸案内部材が設けられている。
【００１７】
図１や図３に示すように、アーム４の延伸方向も布送り方向Ｆと直交している。つまり、アーム４と第２ベッド７とは平行に配置されている。そして、アーム４，第２連結部８，第２ベッド７は上から見て”コ”の字状に連結されている。
【００１８】
アーム４内には該アーム４の延伸方向に沿って上軸１８が配置されている。上軸１８は軸回りの回動可能にアーム４に支持され、右端がアーム４の右側面から右方に突出し、左端は頭部５内に突出している。アーム４の右側面にはミシン本体１の駆動源であるモータ２３が取り付けられており、上軸１８の右端はモータ２３の図示しないモータ軸と連結されている。
第２ベッド７内には該第２ベッド７の延伸方向に沿って中間軸１９が配置されている。中間軸１９は軸回りの回動可能に第２ベッド７に支持され、右端が第２ベッド７の右側面から右方に突出し、該突出する右端にはハンドホイール２４が取着されている。
第１ベッド２上部から第１連結部６下部にわたって、下軸２０が左右方向に沿って配置されている。下軸２０は軸回りの回動可能にされて、その右端は第１連結部６に、左端は第１ベッド２に夫々支持されている。図１乃至図３に示すように、上軸１８，中間軸１９，下軸２０は互いに平行かつ布送り方向Ｆに直交して配置されている。また、上軸１８と中間軸１９とは同じ高さに位置づけられ、下軸２０は上軸１８および中間軸１９よりも低い位置に配置されている。
【００１９】
上軸１８のアーム４内右端側にはプーリ２５が固定されており、中間軸１９の第２ベッド７内右端側にはプーリ２６が固定されている。第２ベルト２２は第２連結部８を通じてかつプーリ２５，プーリ２６を介して上軸１８および中間軸１９に担架されている。
中間軸１９の左端側にはプーリ２７が固定されており、下軸２０の第１連結部６内右端側にはプーリ２８が固定されている。第１ベルト２１は第１連結部６の延伸方向に沿って配置されてかつプーリ２７，プーリ２８を介して中間軸１９および下軸２０に担架されている。
上軸１８はアーム４内または頭部５内において図示しない針棒，メス，上飾りスプレッダなどの各駆動機構に連結されている。また、下軸２０は第１ベッド２内において図示しない複数の偏心ロッドを介して同じく図示しない送り歯，ルーパなどの各駆動機構に連結されている。モータ２３の駆動によって上軸１８が回動すると、上軸１８の回動は第２ベルト２２，中間軸１９，第１ベルト２１を介して下軸２０に伝達され、下軸２０は上軸１８に同調して回動する。
【００２０】
以上のように構成されたミシン本体１を有する送り出し腕型ミシンにおいて、作業者が縫製作業を行うとき、作業者は第１ベッド２の前面２ｂに対峙し、作業者の目はアーム４上面とほぼ同じ高さか、あるいはアーム４上面の上方に位置することになる。このとき、図３に示すように、第１ベッド２の上方には従来の送り出し腕型ミシンのようにアームが立脚していないため、作業者はアーム４上面より低く位置づけられている第１ベッド２の上面２ａ越しに針板９の針落ち９ａ付近を容易に視認することができる。したがって、作業者は針落ち９ａを注視するために体をミシン本体１に近づける必要がないため、作業者の体がミシン本体１の第１ベッド２などに接触し、もってミシン本体１から発生する熱や振動が作業者の体に伝わり作業者に悪影響を及ぼす恐れがない。
【００２１】
また、図３に示すように、第１ベッド２の右側方には上部を除きアーム４と連結される部位が存在しておらず、第１連結部６の下部右側方にも連結される部位が存在しない。つまり第１ベッド２の右方の懐は十分に広く、ミシン本体１は作業者が右手をシリンダー３上面に差し入れて生地を針落ち９ａに向かって送り出する際に、右腕の肘から先はもちろんのこと、二の腕もミシン本体１に当たり難い構造となっており、もって作業者の作業性を損ねないというものである。
【００２２】
さらに、本実施例のように第１ベッド２の上面２ａを後ろ下がりに傾斜する構造とすれば、作業者から見て針落ち９ａ手前側の視野が広がり、針落ち付近の視認性がいっそう向上することとなる。また、第１ベッド前面２ｂの上部や第１連結部６を上に行くにつれて後方へ傾斜する構造とすれば、作業者に対する圧迫感が減じられるとともに、作業者が針落ち９ａに向けて顔を近づけても作業者の体がミシン本体１により当たり難くなる。
【００２３】
さらに、前述のようにアーム４と第２ベッド７を平行に配置し、両者の右側にて第２連結部８によってコの字に連結する構造としたので、アーム４や第２ベッド７内には縫い目を形成するための各機構を収容するスペースが十分に確保され、またアーム４前面や第２ベッド７後面には前記各機構に連結される部材、例えば図示しない針糸繰り部材などを配置するスペースが十分に確保されることとなる。
【００２４】
上述したように、本実施例のミシン本体１は縫製に対する作業者の操作性は維持されつつも、作業者の針落ちに対する視認性を向上させ、かつアーム内部や表面のスペースを大きく確保したものとなっている。このような形状のミシン本体１にあって、以上説明したような上軸１８，中間軸１９，下軸２０，第１ベルト２１，第２ベルト２２の配置および連結によって、第１ベッド２に配置される各駆動機構は下軸２０に連結されて下軸２０の回動に同調して駆動する。下軸２０はアーム４に配置される上軸１８よりも低い位置に配置されており、第１ベッド２に配置される各機構機構と下軸２０とを連結する複数の偏心ロッドは、従来例すなわち上軸と連結されるものと比して当然に短尺，軽量なものとなり、もってミシン駆動時に偏心ロッドにかかる負荷が軽減され、ミシンの高速化を図ることができる。
【００２５】
また、上述の従来例において、ハンドホイール（ハンドプーリ２９）はアーム１４の頭部１５側の主軸１０先端、つまり作業者とはアーム１４を挟んだ反対側に配置されており、作業者の操作しやすい位置にはなかった。一方、本実施例においては、ハンドホイール２４は中間軸１９の右端に取着されているので、ハンドホイール２４は第２ベッド７の右側面と、作業者にとって操作し易くかつ安全な位置に配置されている。
【００２６】
なお、本発明は以上説明した実施例に限定されるものではなく、例えば、ミシン本体１の各部位を左右対称に配置した送り出し腕型ミシンも、本発明の趣旨を逸脱しないものであり、上記実施例と同様の効果を奏するものである。
【符号の説明】
【００２７】
１                ミシン本体
２                第１ベッド
２ａ              上面
２ｂ              前面
３                シリンダー
４                アーム
５                頭部
６                第１連結部
７                第２ベッド
８                第２連結部
９                針板
９ａ              針落ち
１８              上軸
１９              中間軸
２０              下軸
２１              第１ベルト
２２              第２ベルト
２３              モータ
２４              ハンドホイール
Ｆ                布送り方向
【図１】
2015188669.tif 000003
【図２】
2015188669.tif 000004
【図３】
2015188669.tif 000005
【図４】
2015188669.tif 000006
【図５】
2015188669.tif 000007
【図６】
2015188669.tif 000008